(57)【要約】      （修正有）【課題】比較的簡単な構造で強固な基礎を形成することができる建造物の基礎杭とその施工方法を提供する。【解決手段】上方に設けられる建造物を支持するために土壌４１に設置される基礎杭１０である。中空の基礎筒１１と、これに挿入される挿入体３１とを備える。基礎筒１１は、側壁１２に形成された開口部１４と、拡開する腕部２１とを備える。腕部２１は、側壁１２に連続部２０を介して設けられており、その内側に当接部２５を備える。挿入体３１を軸方向へ押し込んで、挿入体３１に設けられた作用部３３によって当接部２５を押圧することで、腕部２１を外側に拡開させる。【選択図】図３
2016153551.tif 000002
【特許請求の範囲】
【請求項１】
上方に設けられる建造物を支持するために土壌に設置される基礎杭において、
土壌に打ち込まれる中空部を有する基礎筒と、前記基礎筒の中空部内に挿入される挿入体とを備え、
前記基礎筒は、その側壁に形成された開口部と、前記基礎筒の外側に拡開する腕部とを備え、
前記腕部は、前記開口部の周縁の一部における前記側壁に、連続部を介して設けられており、
前記腕部は、土壌に打ち込まれる前の状態で前記基礎筒の内側に突出する当接部を備え、
前記挿入体は、前記基礎筒の軸方向に移動可能であり、
前記挿入体は、前記基礎筒の軸方向への移動に伴い前記当接部を押圧することによって前記腕部を拡開状態にさせる押圧部を備えていることを特徴とする基礎杭。
【請求項２】
前記開口部及び前記腕部は、前記基礎筒の軸方向へ異なる位置に、複数設けられていることを特徴とする請求項１記載の基礎杭。
【請求項３】
前記挿入体は、前記拡開状態で前記当接部の内側に位置する保持部を有することを特徴とする請求項１又は２記載の基礎杭。
【請求項４】
前記挿入体は中空の筒状をなし、前記挿入体の周壁に受容開口が形成され、
前記押圧部は、前記周壁から前記開口内に伸びる斜面であり、
前記保持部は、前記斜面の付け根付近の前記周壁又は前記斜面であり、
前記挿入体は、土壌に打ち込まれる前の状態で前記基礎筒内に配置され、
前記腕部は、土壌に打ち込まれる前の状態で前記基礎筒の前記開口部と前記受容開口とを通って、径内方向に連続部から折り曲げられて挿入されていることを特徴とする請求項３記載の基礎杭。
【請求項５】
前記押圧部及び前記保持部を備えた作用部が、前記挿入体に複数設けられ、
前記挿入体は、土壌に打ち込まれる前の状態で前記基礎筒内に配置され、前記複数の腕部のそれぞれに対応して前記作用部が配置され、
前記複数の腕部同士の軸方向への間隔よりも大きな間隔で前記複数の作用部が配置されたことを特徴とする請求項３又は４記載の基礎杭。
【請求項６】
前記建造物は温室であり、前記基礎筒の下端は尖った尖端部を備え、前記腕部が前記基礎筒の外側に突出しない状態に前記開口部内に納まった形態で、前記基礎筒は前記土壌に１ｍ以上が打ち込まれることを特徴とする請求項１〜５の何れかに記載の基礎杭。
【請求項７】
前記腕部は、上腕部と、前記上腕部の先端に設けられた腕先部とを備え、
前記連続部が塑性変形することによって、前記腕部が前記拡開状態となるように、前記上腕部は、前記開口部の上辺の前記側壁から前記連続部を介して一体に延設されており、
前記拡開状態で、前記腕先部は前記上腕部から上方に向いて伸びることを特徴とする請求項１〜６の何れかに記載の基礎杭。
【請求項８】
上方に設けられる建造物を支持するために土壌に基礎杭を設置する方法において、
基礎筒の側壁に形成された開口部と、前記基礎筒の外側に拡開する腕部とを備えた基礎筒を、その先端から前記土壌に打ち込む工程と、
前記基礎筒内に配置された挿入体を、前記基礎筒の軸方向に移動させる工程とを備え、
前記腕部は、前記開口部の周縁の一部における前記側壁に、連続部を介して設けられており、
前記腕部は、前記土壌への打ち込み前の状態で、前記基礎筒の内側に突出する当接部を備え、
前記挿入体の移動に伴い、前記挿入体が前記当接部を押圧して、前記腕部を前記土壌中で拡開状態させることを特徴とする基礎杭の設置方法。
【発明の詳細な説明】
【技術分野】
【０００１】
本発明は、建造物の基礎杭、特に温室などの比較的軽量な建造物の基礎杭と、その設置方法に関するものである。
【背景技術】
【０００２】
温室、特に農業分野で多用されるパイプ式農業用温室は、鋼管パイプをアーチ状に曲成して両端部を略直線形状の支柱とし、アーチ状の鋼管パイプを奥行方向に所定間隔で複数個配置し、これらのアーチ状の鋼管パイプを直管パイプで繋いで骨格を形成し、その上部からフィルム材などで被覆し、フィルム材の裾端を地中に埋設して構成されている（特許文献１参照）。
このパイプ式農業用温室は、一般にアーチ状の鋼管パイプの下端を地面に突き刺して固定するという工法が採用されているため、軟弱な土壌ではその確実な固定が困難である。
【０００３】
これに対して、特許文献２にあっては、土壌に対して相互の間隔が下方に行くに従って広くなるように打ち込まれた複数の杭と、これらの複数の杭と各杭の軸芯に沿った仮想線が負荷される鉛直荷重の作用線上で交差するように、各杭の上端部を結束するヘッド部（基礎ブロック）から構成された農業用温室の基礎構造を開示している。
この農業用温室の基礎構造は、確実な固定が可能である反面、支柱下部にコンクリート製のブロックが必要であり、基礎構造が複雑となり施工に時間がかかるなどの課題を有する。
【０００４】
そこで、特許文献３や４は、農業用温室の支柱の下部の地中に、列状に所定間隔にて螺旋杭を埋設する構造を備えた農業温室の基礎構造が提案されている。この構造では、螺旋状のリブを杭の周囲に備えた螺旋杭を回転させて土壌に埋設するものであり、螺旋状のリブを、螺旋杭の打ち込み後に螺旋杭の軸部から突出させるものではない。
【０００５】
なお、特許文献５などに示されたアンカーボルトにあっては、先端に複数の拡開部を備えたものが知られているが、アンカーボルトはコンクリートなどの比較的均質で硬質の素材に対する固定手段であり、また、アンカーの先端のみに複数の拡開部を備えたものであるため、不均質な土壌に対して用いることはできない。
【先行技術文献】
【特許文献】
【０００６】
【特許文献１】実開平１−７７３４７号公報
【特許文献２】特開２００２−３０６９号公報
【特許文献３】特許４８４６３７８号公報
【特許文献４】特開２０１３−１６９２００号公報
【特許文献５】特開２００９−２４４７７号公報
【発明の概要】
【発明が解決しようとする課題】
【０００７】
本発明の目的は、比較的簡単な構造で強固な基礎を形成することができる新たな構造を有する建造物の基礎杭とその施工方法を提案することにある。
また、本発明の他の目的は、比較的安価に製造でき、その施工も複雑な工程を必要としない建造物の基礎杭とその施工方法の提供を図ることにある。
【課題を解決するための手段】
【０００８】
本発明は、上方に設けられる建造物を支持するために土壌に設置される基礎杭に関するものである。本発明に係る基礎杭は、土壌に打ち込まれる中空部を有する基礎筒と、基礎筒の中空部内に挿入される挿入体とを備える。
前記基礎筒は、その側壁に形成された開口部と、前記基礎筒の外側に拡開する腕部とを備える。前記腕部は、前記開口部の周縁の一部における前記側壁に、連続部を介して設けられており、さらに、前記腕部は、土壌に打ち込まれる前の状態で、前記基礎筒の内側に突出する当接部を備える。
【０００９】
他方、前記挿入体は、前記基礎筒の軸方向に移動可能であり、前記挿入体は、前記基礎筒の軸方向への移動に伴い前記当接部を押圧することによって前記腕部を拡開状態にさせる押圧部を備えている。
【００１０】
これによって、前記挿入体を予め前記基礎筒内に挿入しておくか、挿入しない状態で、前記基礎筒を土壌中に打ち込んだ後、前記挿入体を前記軸方向へ前進させることによって、土壌中で前記腕部を拡開させることができる。
前記開口部及び前腕部は、１つでも良いが、複数設ける方が望ましい。複数設ける場合には、個前記基礎筒の軸方向へ異なる位置に設けることが望ましい。
【００１１】
前記挿入体は、軸方向への移動（降下又は上昇）によって、腕部を拡開させるものであれば、円筒体などの種々の形態として実施することができる。
また、前記挿入体は、前記拡開状態で前記当接部の内側に位置する保持部を有するものとして実施することができ、この保持部によって、前記腕部が拡開状態に維持され易いものとなる。
例えば、前記挿入体は中空の筒状をなし、その周壁に受容開口が形成されたものとして実施することができる。その際、前記押圧部は、前記周壁から前記開口内に伸びる斜面として実施することができ、前記保持部は、前記斜面の付け根付近の前記周壁又は前記斜面として実施することができる。前記挿入体は、土壌に打ち込まれる前の状態で前記基礎筒内に配置され、前記腕部は、土壌に打ち込まれる前の状態で前記基礎筒の前記開口部と前記受容開口とを通って、径内方向に連続部から折り曲げられて挿入されているものとすることができる。
前記挿入体は、土壌に打ち込まれる前の状態で前記基礎筒内に配置されるものとすることができ、前記複数の腕部のそれぞれに対応して前記作用部が配置されるものとすることができる。この場合、前記複数の腕部同士の軸方向への間隔と、前記複数の作用部同士の軸方向への間隔とを等しく設定すると、軸方向へ前記挿入体を移動させる際に、複数の腕部が一度に拡開するため大きな力を必要とする。これに対して、前記複数の腕部同士の軸方向への間隔よりも大きな間隔で前記複数の作用部を配置すると、軸方向へ前記挿入体を移動させる際、一度に複数の腕部が一度に拡開しないため、比較的少ない力で腕部を拡開させることができる。
【００１２】
前記建造物は種々のものとして実施することができるが、例えば農業用の温室として実施することもできる。その際、前記基礎筒の下端は尖った尖端部を備え、前記腕部が前記基礎筒の外側に突出しない状態に前記開口部内に納まった形態で、前記基礎筒は前記土壌に１ｍ以上が打ち込まれるものとすることが適当である。
【００１３】
また、前記腕部は、上腕部と、前記上腕部の先端に設けられた腕先部とを備え、前記連続部が塑性変形することによって、前記腕部が前記拡開状態となるように、前記上腕部は、前記開口部の上辺の前記側壁から前記連続部を介して一体に延設されており、前記拡開状態で、前記腕先部は前記上腕部から上方に向いて伸びるものとすることによって、より強固な固定構造を得ることができる。
【００１４】
また、本発明は、上方に設けられる建造物を支持するために土壌に基礎杭を設置する方法において、基礎筒の側壁に形成された開口部と、前記基礎筒の外側に拡開する腕部とを備えた基礎筒を、その先端から前記土壌に打ち込む工程と、前記基礎筒内に配置された挿入体を、前記基礎筒の軸方向に移動させる工程とを備え、前記腕部は、前記開口部の周縁の一部における前記側壁に、連続部を介して設けられており、前記腕部は、前記土壌への打ち込み前の状態で、前記基礎筒の内側に突出する当接部を備え、前記挿入体の移動に伴い、前記挿入体が前記当接部を押圧して、前記腕部を前記土壌中で拡開状態させることを特徴とする基礎杭の設置方法を提供する。
本発明の実施に際して、前記基礎筒を前記土壌に打ち込む前に、前記挿入体を前記基礎筒内に挿入しておくことができる。また、前記基礎筒を前記土壌に打ち込んだ後に、前記挿入体を前記基礎筒内に挿入してもよい。
【発明の効果】
【００１５】
本発明は、基礎杭を土壌中に打ち込んだ後に腕部を拡開させることができる新規な構造で強固な基礎を形成することができる建造物の基礎杭とその施工方法を提案することができたものである。
【図面の簡単な説明】
【００１６】
【図１】本発明の実施の形態に係る基礎杭の一部切欠斜視図。
【図２】同基礎杭の要部拡大縦断面図であって（Ａ）は腕部が拡開する前の断面図、（Ｂ）は腕部が拡開した後の断面図。
【図３】同基礎杭の縦断面図。
【図４】同基礎杭の地上の施工状態を示す斜視図。
【図５】（Ａ）同基礎杭の挿入体の斜視図、（Ｂ）挿入体の変更例を示す斜視図、（Ｃ）挿入体の他の変更例を示す斜視図。
【図６】（Ａ）他の変更例を示す挿入体の要部正面図、（Ｂ）同挿入体の要部断面図。
【発明を実施するための形態】
【００１７】
以下、図面に基づき本発明の実施の形態を説明する。
（全体構成）
この実施の形態に係る基礎杭１０は、土壌４１内に打ち込まれる基礎筒１１と、基礎筒１１の中空部の中に挿入される挿入体３１とから構成されている。挿入体３１は、基礎筒１１の腕部２１を拡開させるものであり、この腕部２１の拡開によって基礎杭１０が土壌４１内に所定の引き抜き耐荷重（例えば9800Ｎ以上）に耐えるものとなる。
基礎筒１１の上端には上端開口１５が設けられ、その上にＨ型鋼などの建造物４２が載置されて、上端開口１５に形成された固定穴１７を利用してボルト・ナットなどによって固定される。
【００１８】
（基礎筒１１について）
基礎筒１１は、円筒や角筒状をなす金属製の筒体であり、その上端にフランジ１６を備え、その下端に先の尖った尖端部１３を備える。基礎筒１１の側壁には、複数の開口部１４が上下に適宜間隔を置いて形成されている。複数の開口部１４は、基礎筒１１の周方向に同一の位置でもよいが、周方向に異なる位置に形成する方が好ましい。
【００１９】
開口部１４には腕部２１が配置されている。開口部１４は、矩形状をなし、開口部１４の周縁の一部（この例では上辺）にて、基礎筒１１の側壁から連続部２０を介して腕部２１が連続して伸ばされている。製造に際しては、側壁１２を上辺の全部又は一部の連続部２０を残して他の３辺を略コ字上に切断することにより、腕部２１を形成することができる。腕部２１の下部の先端には腕先部２３を溶接などで取り付けることにより、腕部２１は、上端が連続部２０となった上腕部２２と、その下部に設けられた腕先部２３とを備えたものとなる。腕先部２３は必要に応じて補強部２４で曲がりにくいように補強しておくことも望ましい。図１〜３に示すように、腕部２１は上腕部２２と腕先部２３とが一体に形成されたものであってもよいが、上腕部２２は側壁１２で形成される一方、上腕部２２とは別体の腕先部２３及び補強部２４をボルトや溶接で固定する方が効率的に製造できる。
【００２０】
この腕部２１は、図２（Ａ）に示すように、基礎筒１１が土壌４１に打ち込まれる際には、開口部１４から基礎筒１１の中空内部に収納され、基礎筒１１の側壁１２より外側には突出していない。
そして、図２（Ｂ）に示すように、基礎筒１１が土壌４１内に打ち込まれた後に、挿入体３１が押し込まれることによって外側に突出した拡開状態になる。そのために腕部２１は、拡開前の段階で基礎筒１１の内部に突出する当接部２５を備える。当接部２５は、板状の上腕部２２のみで構成することもできるが、上腕部２２よりもさらに内方に突出する突起を、上腕部２２の内側に形成しておく方が、腕部２１を大きく外側に突出させることができる。この当接部２５は下方に向かうに従って漸次突出高さが大きくなる楔状のものとしておくことが望ましい。
【００２１】
（挿入体３１について）
挿入体３１は、基礎筒１１の軸方向に移動可能であって、その軸方向への移動に伴い当接部２５を押圧することによって腕部２１を拡開状態にさせるものである。図１〜図３の例では、挿入体３１は、中空又は中実の中央軸３２と、中央軸３２から突出する作用部３３とを備えている。中央軸３２は側壁１２と平行に伸びるもので、基礎筒１１が土壌４１内に打ち込まれる前にあるいは打ち込まれた後に挿入体３１が基礎筒１１内に挿入される。
【００２２】
作用部３３は、下方の押圧部３４と、押圧部３４の上方に連続して、もしくは連続せずに形成された保持部３５とを備える。押圧部３４は、挿入体３１を下方に移動させる際に、当接部２５に当たって、当接部２５を拡開状態とする部位である。保持部３５は拡開状態の腕部２１の当接部２５の内側に位置して（望ましくは当接して）、保持部３５の拡開状態を確実に維持する部位であり、押圧部３４の最大径と略同径の筒状をなす。押圧部３４は、保持部３５の先端が当接部２５と当たって腕部２１を押し広げて拡開状態とするものであってもよいが、円滑に当接部２５を押すためには、押圧部３４と当接部２５との少なくともいずれか一方をテーパ状としておくほうが好ましい。また、拡開状態となるために腕部２１の付け根の連続部２０が塑性変形するが、この塑性変形を容易になすために、連続部２０は焼鈍しておく方が望ましい。
【００２３】
基礎杭１０を土壌４１に打ち込む前に、基礎筒１１の内部に挿入体３１を挿入するには、腕部２１を拡開状態（図２（Ｂ）の状態）にしておき、腕先部２３や当接部２５を形成するなどの加工を施した後、基礎筒１１内部に挿入体３１を挿入し、その後、腕部２１を基礎筒１１の内部に押し込むように塑性変形させればよい。
【００２４】
複数の腕部２１と作用部３３とは、軸方向に同じ間隔（ピッチ）で設けることもできるが、同じ間隔で設けた場合には、挿入体３１を押し込んで腕部２１を拡開させる際に、全ての腕部２１を同時に拡開させることになるため大きな力が必要になる。そこで作用部３３（特に押圧部３４）同士の間隔を、腕部２１同士の間隔よりも大きな間隔で設けることによって、下方の腕部２１から順に開かせることができる。具体的には、腕部２１同士の間隔に当接部２５の上下長さを加えた長さを、作用部３３同士の間隔とすればよく、例えば腕部２１を25ｃｍ間隔で設け、当接部２５の長さが5ｃｍであるとすると、作用部３３を30ｃｍ以上の間隔で設ければよい。なお、作用部３３を押圧部３４と保持部３５とで構成する場合、拡開させる押圧部３４と拡開後に腕部２１の当接部２５が当接する保持部３５の位置との間隔は、下方の腕部２１ほど大きくなるため、これに対応する位置や大きさに保持部３５を設定することが望ましい。
【００２５】
（施工方法）
図４に示すように、上部を残して埋め込まれた基礎筒１１の上端開口１５にはＨ型鋼などの建造物４２が載せられて、上端開口１５に設けられたフランジ１６を利用してボルトなどで固定することができ、これにより強固な温室などの基礎を簡単に施工することができる。基礎筒１１を土壌４１に打ち込むにも特殊な機械装置は必要とせず、油圧ショベルなどの建設機械を利用して基礎筒１１の上端を押し込めばよい。油圧ショベルに油圧ブレーカーを取り付けて、下穴を明けるようにしてもよい。また、必要に応じてフランジ１６を利用して、上端開口１５を建設機械に取り付けてもよく、上端開口１５に回転力を加えてもよい。
【００２６】
基礎筒１１の打ち込みが所定深さまで完了した後、挿入体３１を下方に押し込む。その際、完成状態では挿入体３１の上端が基礎筒１１よりは突出していない方が望ましいため、打ち込みジグ４０を挿入体３１の上端に配置して押し込み作業を行えばよく、作業終了後は打ち込みジグ４０を取り外して次の作業に移ればよい。
【００２７】
これにより、前述のように、腕部２１が拡開し、土壌４１内に張り出す。拡開完了時、腕先部２３は斜め上方を向いており、上方の土壌４１に突き刺された状態となる。
土壌４１は、複数の層をなしているのが一般的であり、それらの硬さは均一ではないが、基礎筒１１の軸方向（施工状態では土壌４１の深さ方向）の複数箇所に腕部２１が設けられている。その結果、一つの層が比較的柔らかいものであっても、他の層が強固であることによって、基礎杭１０の全体としては、目標の引き抜き耐荷重を得ることが容易となる。
【００２８】
また、前述の特許文献３や４の場合、螺旋状のリブが回転することによって容易に螺旋杭は土壌に浸入できる反面、螺旋状のリブは、杭の周囲の土壌を上方に持ち上げるように作用するため、杭の周囲の土壌は施工前の状態よりも弱い状態とならざるを得ない。これに対して、この実施の形態では、螺旋状のリブを基礎筒１１の外周に設けていないため、基礎筒１１の周囲の土壌４１は硬い状態を保ち、これに対して腕部２１が拡開するため、強固な固定構造を実現することができる。但し、本発明の要旨は、打ち込み後の基礎杭１０の基礎筒１１から腕部２１を突出させることにあり、基礎杭１０の打ち込み際して、基礎筒１１を回転させてもよく、回転させずともよく、或いは螺旋状のリブを基礎筒１１に設けて特許文献３や４と併用した構造で、打ち込むものであってもよい。このように、本発明における基礎筒１１の打ち込みとは、軸方向にのみ力を加えて基礎筒１１を土壌４１内に浸入させる場合に限らず、回転力、ねじ構造、ドリル機能で基礎筒１１を土壌４１内に浸入させる場合をも含むものである。
【００２９】
基礎筒１１の上端には上端開口１５が設けられ、その上にＨ型鋼などの建造物４２が載置されて、上端開口１５に形成された固定穴１７を利用してボルト・ナットなどによって固定される。建造物４２は、特許文献４に示された温室用の架設基礎材など、種々の建造物の基礎材や柱材として実施することができる。これらの建造物４２は、基礎杭１０によって、土壌４１から所定の離間距離（例えば50ｃｍ）を置いて配置されるが、建造物の種類や構造などによって、その離間距離や基礎杭１０同士の間隔は種々変更することができるものであり、基礎杭１０の全体を土壌４１内に埋め込んでしまうものであってもよい。
【００３０】
（変更例）
基礎筒１１の打ち込みのためには、その先端に尖端部１３を設けることが有利であるが、建設機械などで十分な大きさの穴を予め形成した場合には、尖端部１３を設けずに基礎筒１１を単なる筒体として実施することもできる。尖端部１３にドリル刃などの回転穿孔機能を有する部分を設けることを妨げるものではない。また側壁１２に螺旋状のネジ機能を果たす部位を設けることを妨げるものではない。
【００３１】
基礎杭１０を土壌４１に打ち込んだ後に、基礎筒１１の内部に挿入体３１を挿入する場合では、挿入体３１は、上方の腕部２１から順に拡開状態としていく。そのため、押圧部３４を設ける場合でも挿入体３１の下端にのみ設ければ足りる。従って、上述の例では図５（Ａ）に示したような先端に押圧部３４を有する円筒体を複数個設けるものの他、図５（Ｂ）に示したような先端に押圧部３４を有する１つの円筒体で実施することもできる。さらに図示は省略するが、円錐形状の押圧部３４を設けないのであれば、単純な筒体で実施することもできる。この単純な筒体で実施する場合、筒体の先端の外周端辺が押圧部３４として機能する。
【００３２】
また、図５（Ｃ）に示すように、周方向に異なる位置に作用部３３を部分的に設けることもできる。さらに図示はしないが、基礎杭１０を土壌４１に打ち込む前に基礎筒１１の内部に挿入体３１を挿入する場合であれば、当接部２５の下方に作用部３３を配置し、挿入体３１を基礎筒１１に対して引き上げるように移動させることで腕部２１を拡開させることもできる。
【００３３】
さらに、図６（Ａ）（Ｂ）に示すように、挿入体３１を円筒や角筒などのパイプを用いて形成することもできる。具体的には、挿入体３１の周壁に開口（受容開口３６）を形成し、その一辺（この例では上辺）を周壁に連続させた状態で径内方向に折り曲げたものであり、これによって傾斜した押圧部３４が形成される。また、受容開口３６は、腕部２１を受け入れることができる大きさとされており、腕部２１は、基礎筒１１の開口部１４と挿入体３１の受容開口３６とを通って、径内方向に連続部２０から折り曲げられて挿入される。
【００３４】
製造に際しては、受容開口３６及び押圧部３４を必要数形成した挿入体３１を、基礎筒１１内に挿入する。この段階では、基礎筒１１の腕部２１は、未だ径内側に折り曲げられておらず、挿入体３１は基礎筒１１内に抵抗なく軸方向に挿入される。
なお、当接部２５を取り付けるなどの必要な加工を施すためには、腕部２１を外側に折り曲げた状態で行う方が能率的であり、その場合には、腕部２１を外側に折り曲げた状態の基礎筒１１内に、挿入体３１を挿入すればよい。
次に、受容開口３６を開口部１４及び腕部２１に位置合わせして、腕部２１を連続部２０から折り曲げて、基礎筒１１の開口部１４と挿入体３１の受容開口３６とを通して、図示のように、内側に傾斜させる。
【００３５】
打ち込みについては先の例と同様であり、挿入体３１を打ち込むなどして、挿入体３１を基礎筒１１内にて軸方向に移動させることにより、押圧部３４が当接部２５を外側に押し出して、腕部２１が拡開する。その際、挿入体３１の内径以上であって基礎筒１１の内径よりも小さな打ち込みジグ４０を、必要に応じて用いることができる。
上記の加工及び拡開を行い易くするために、連続部２０付近は焼鈍しておくことが望ましい。
押し込みの程度にもよるが、拡開状態では、当接部２５は、押圧部３４の付け根の付近か挿入体３１の外周面に当接した状態となり、この部分（押圧部３４の付け根の上下付近）が保持部３５となる。押圧部３４は、当接部２５を押すことで腕部２１を拡開させ得るものであればよく、図６（Ｂ）の上側に図示したように、反対側の内周面に達しないものでよい。また、図６（Ｂ）の下側に図示したように、反対側の内周面に達するものであってもよく、これによって保持部３５の強度を増すことができる。
【００３６】
この図６（Ｂ）の例では、当接部２５として、傾斜していないピンなどの突起を形成したため、押圧部３４は傾斜した斜面を形成するようにしたが、当接部２５を先の例のように傾斜した楔状として実施する場合には、受容開口３６を開口するだけであってもよい。その場合には、受容開口３６の開口縁が楔状の当接部２５に当接して腕部２１を拡開させることできるものであり、受容開口３６の開口縁が押圧部３４となる。
【符号の説明】
【００３７】
１０  基礎杭
１１  基礎筒
１２  側壁
１３  尖端部
１４  開口部
１５  上端開口
１６  フランジ
１７  固定穴
２０  連続部
２１  腕部
２２  上腕部
２３  腕先部
２４  補強部
２５  当接部
３１  挿入体
３２  中央軸
３３  作用部
３４  押圧部
３５  保持部
３６  受容開口
４０  打ち込みジグ
４１  土壌
４２  建造物
【図１】
2016153551.tif 000003
【図２】
2016153551.tif 000004
【図３】
2016153551.tif 000005
【図４】
2016153551.tif 000006
【図５】
2016153551.tif 000007
【図６】
2016153551.tif 000008